(57)【要約】【課題】本体枠と前面枠の自由端側に生じた隙間から針金などを差し込んで行なう不正解錠を効果的に防止することができるゲーム機の施錠装置を提供する。【解決手段】鉤部材４，５の一部に係合して鉤部材を解錠側に傾動させる作動杆６が支持板３に沿って摺動可能に配設され、取付板２の前面側の中間部にシリンダ錠７がその錠軸を取付板に設けた孔から内側に差込むように固定される。錠軸の先端に作動杆６と係合可能なカム板８が固着される。作動杆６が支持板３に沿って摺動可能に配設され、上部と下部に鉤部１２，１３を有しガラス枠を施錠するためのガラス枠施錠杆１１が支持板３に沿って摺動可能に配設される。鉤部材４，５を施錠側に付勢するトーションばね９，１０が鉤部材の枢軸の回りに且つ鉤部材の内側に設けた凹部４ｂ、５ｂ内に覆われて配設される。【選択図】図２
2010119897.tif 000002
【特許請求の範囲】
【請求項１】
取付板と支持板を断面略Ｌ字状に形成した基枠体の該支持板における上部と下部の内側に、鉤部材が傾動可能に枢支され、
該鉤部材の一部に係合して該鉤部材を解錠側に傾動させる作動杆が該支持板に沿って摺動可能に配設され、
該取付板の前面側の中間部にシリンダ錠がその錠軸を該取付板に設けた孔から該基枠体の内側に差込むように固定され、
該錠軸の先端に該作動杆と係合可能なカム板が固着され、
該基枠体が、ゲーム機の前面枠に、その内側を該前面枠の自由端側に向けた形態で、縦に取付けられ、
該ゲーム機の本体枠側に取付けられた受け金具の係止片に該鉤部材が係止されて該前面枠を施錠するゲーム機の施錠装置において、
該鉤部材を施錠側に付勢するトーションばねが、該鉤部材の枢軸の回りに、且つ該鉤部材の該支持板側の内側に設けた凹部内に、該鉤部材と該支持板に覆われて配設されたことを特徴とするゲーム機の施錠装置。
【発明の詳細な説明】
【技術分野】
【０００１】
本発明は、パチンコ機などのゲーム機の前面枠を本体枠に対し施錠すると共に、前面枠内に開閉可能に取付けられたガラス枠を施錠するゲーム機の施錠装置に関する。
【背景技術】
【０００２】
従来、例えばパチンコ機の前面枠を本体枠に対し施錠する施錠装置として、断面Ｌ字状の取付板と支持板からなる縦長の基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる基本的な構造の施錠装置が、広く使用されている。
【０００３】
また、この種のパチンコ機の施錠装置として、基枠体の内側に、パチンコ機の前面枠内に盤面を覆って開閉可能に取り付けられたガラス枠を施錠するガラス枠施錠杆が摺動可能に配設された施錠装置が、下記特許文献１などで知られている。この施錠装置のガラス枠施錠杆には、上部と下部に鉤部が前方に向けて突設され、その鉤部を基枠体の取付板に設けたスリットに挿通させ、ガラス枠を閉じた際に、ガラス枠に設けた係止片を鉤部に係止させ、ガラス枠を施錠する構造である。
【先行技術文献】
【特許文献】
【０００４】
【特許文献１】特開平１０−２７７２４２号公報
【発明の開示】
【発明が解決しようとする課題】
【０００５】
上記施錠装置は、パチンコ機に取り付ける場合、パチンコ機の前面枠内側の自由端に、本体枠側に鉤部材を向けて縦に固定され、本体枠の内側の対応位置に、鉤部材を係止するための受け金具が固定される。通常、パチンコ機の前面枠は、向かって左端部にヒンジが取り付けられるため、右側の自由端に施錠装置が取り付けられることになる。そして、本体枠の内側に固定される受け金具は、本体枠の板厚（約２０ｍｍの板材）分だけ縁部より内側に入り、シリンダ錠は前面枠の最も右の縁部に配設されるため、施錠装置はＬ形断面の基枠体がその内側を前面枠の自由端側に向けて取り付けられる。
【０００６】
本体枠に対しヒンジを介して開閉可能に装着された前面枠は、施錠装置の上下の鉤部材と本体枠側の受け金具との係合により、通常は、隙間無く閉鎖されて施錠状態となるものの、本体枠や前面枠の変形など何らかの理由により、閉鎖された前面枠と本体枠との間に隙間が生じる場合がある。
【０００７】
このような前面枠と本体枠の隙間は前面枠の自由端側（施錠装置が取り付けられている箇所の近傍）に生じやすく、この前面枠の自由端側に隙間が生じた場合、この隙間と施錠装置の基枠体の内側部分が非常に接近することとなる。つまり、施錠装置は、通常、Ｌ形断面を持った基枠体の内側（鉤部材、連結杆、ガラス枠施錠杆などが位置する部分）が前面枠の自由端側に位置して取り付けられるため、基枠体の内部機構部分が、本体枠と前面枠の隙間に非常に接近する。
【０００８】
このため、本体枠と前面枠の自由端側に隙間が生じなければ問題は無いが、前面枠や本体枠の変形などによりそこに隙間が生じた場合、その隙間から針金などを差し込み、基枠体の内側に配設された連結杆、ガラス枠施錠杆などを動かして不正解錠が行なわれる虞があった。
【０００９】
本発明は、上記の課題を解決するためになされたもので、本体枠と前面枠の自由端側に生じた隙間から針金などを差し込んで行なう不正解錠を効果的に防止することができるゲーム機の施錠装置を提供することを目的とする。
【課題を解決するための手段】
【００１０】
上記の目的を達成するために、本発明の施錠装置は、
取付板と支持板を断面略Ｌ字状に形成した基枠体の該支持板における上部と下部の内側に、鉤部材が傾動可能に枢支され、
該鉤部材の一部に係合して該鉤部材を解錠側に傾動させる作動杆が該支持板に沿って摺動可能に配設され、
該取付板の前面側の中間部にシリンダ錠がその錠軸を該取付板に設けた孔から該基枠体の内側に差込むように固定され、
該錠軸の先端に該作動杆と係合可能なカム板が固着され、
該基枠体が、ゲーム機の前面枠に、その内側を該前面枠の自由端側に向けた形態で、縦に取付けられ、
該ゲーム機の本体枠側に取付けられた受け金具の係止片に該鉤部材が係止されて該前面枠を施錠するゲーム機の施錠装置において、
該鉤部材を施錠側に付勢するトーションばねが、該鉤部材の枢軸の回りに、且つ該鉤部材の該支持板側の内側に設けた凹部内に、該鉤部材と該支持板に覆われて配設されたことを特徴とする。
【００１１】
上記構成の施錠装置は、パチンコ機などのゲーム機の前面枠の内側の自由端側に、鉤部材を本体枠側に向けて縦に取り付けられる。本体枠の内側に固定される受け金具は、本体枠の板厚分だけ縁部より内側に入り、シリンダ錠は前面枠の最も右の縁部に配設されるため、施錠装置は鉤部材を枢支する支持板を受け金具に対応した位置とするように、基枠体はその内側を前面枠の自由端側に向けた形態で前面枠に取り付けられる。
【００１２】
しかし、上部と下部の鉤部材を施錠方向に付勢するトーションばねが、各鉤部材の枢軸の回りに且つ各鉤部材の内側に設けた凹部内に、鉤部材と支持板に覆われて配設されるため、ばねが露出せず、コイルばねを各鉤部材と基枠体との間に掛け渡していた従来のものに比べ、不正に差し込まれた針金などによってばねが外される不正解錠を防止することができる。また、同様の理由により、施錠装置の輸送中などに、上下の各鉤部材のばねが他の部材と干渉して外れる不具合を防止することができる。
【発明の効果】
【００１３】
本発明の施錠装置によれば、本体枠と前面枠の自由端側に生じた隙間から針金などを差し込んで行なう不正解錠を効果的に防止することができる。
【図面の簡単な説明】
【００１４】
【図１】本発明の一実施形態を示す施錠装置の正面図である。
【図２】その左側面図である。
【図３】その右側面図である。
【図４】その背面図である。
【図５】その拡大平面図である。
【図６】基枠体１の背面図（ａ）と左側面図（ｂ）である。
【図７】作動杆６の背面図（ａ）と左側面図（ｂ）である。
【図８】ガラス枠施錠杆の背面図（ａ）と左側面図（ｂ）である。
【図９】前パネル施錠杆の背面図（ａ）と左側面図（ｂ）である。
【図１０】施錠装置の分解右側面図である。
【図１１】（ａ）は鉤部材４の近傍の部分拡大側面図、（ｂ）は（ａ）の左側からみた部分拡大平面図、（ｃ）は鉤部材４の元部の断面を示す部分断面図である。
【図１２】使用状態における施錠装置の施錠時の平面図である。
【図１３】使用状態における施錠装置の施錠時の左側面図である。
【図１４】使用状態における施錠装置の前面枠解錠時の左側面図である。
【図１５】使用状態における施錠装置のガラス枠解錠時の左側面図である。
【図１６】使用状態における施錠装置の前パネル解錠時の左側面図である。
【図１７】他の実施形態を示す施錠装置の斜視図である。
【図１８】その左側面図である。
【図１９】その右側面図である。
【図２０】その背面図である。
【図２１】その分解左側面図である。
【図２２】基枠体５１の斜視図である。
【発明を実施するための形態】
【００１５】
以下、本発明の実施例を図面に基づいて説明する。図１はパチンコ機の施錠装置の正面図を示し、図２はその左側面図を、図３はその右側面図を、図４はその背面図を、図５はその拡大平面図を示している。
【００１６】
図中、１は取付板２と支持板３を略直角に断面略Ｌ字形に曲折して一体成形されてなる縦長の基枠体で、図６に示すように、基枠体１の支持板３の上部と下部に鉤部材用の枢支部が形成され、そこには鉤部材４，５を水平突出位置に保持するための鉤部材支持部３ｄ，３ｅが支持板３の内側に突設されている。また、支持板３の中間部近傍の外側には、支持板の一部を外側に切り起すように外側切起し部３ａが形成されている。この外側切起し部３ａの内側に、作動杆６及びガラス枠施錠杆１１が摺動可能に配設され、それらを外側から保持するようにしている。
【００１７】
また、上部と下部の鉤部材支持部３ｄ，３ｅの近傍には、支持板３の一部を内側に切り起すように、ばね掛け部３ｂ、３ｃが形成されている。このばね掛け部３ｂ、３ｃには図１１に示すように、上下の鉤部材４，５を施錠側に付勢するためのトーションばね９，１０の一端を係止する。取付板２には複数の取付孔が穿設され、また、取付板２の中間部から下寄りの部分にシリンダ錠用の開口部が形成され、その開口部に後述のシリンダ錠７が、錠本体を外側に突出させ、そのフランジ部を内側にねじ止めして取り付けられる。
【００１８】
支持板３の枢支部の内側には、図１０に示すように、鉤部材４、５が水平位置から上側傾動可能に、枢軸４ａ，５ａにより枢支される。鉤部材４、５は三角形頭部を有しその中間部に係合凹部を有し、背面側に水平に突き出すように枢支され、特に、鉤部材４，５の枢軸４ａ，５ａの周囲には円形の凹部４ｂ、５ｂが内側に凹状に形成されている。この凹部４ｂ、５ｂ内にはトーションばね９，１０が軸の周りに装着され、そのトーションばね９，１０の端部を掛止する目的で外側に出すために、凹部４ｂ、５ｂの一部に開口部４ｃ、５ｃが形成されている。製造の際の組付け時、トーションばね９，１０は、その端部を開口部４ｃ、５ｃに差し込みながら、凹部４ｂ、５ｂ内に入れるだけの簡単な作業で、鉤部材４，５に対し装着することができる。
【００１９】
さらに、鉤部材４，５の中間部には、作動杆６の係合部６ａ，６ｂが係合する凸状曲面部としての半円形凸部４ｄ、５ｄが形成され、解錠操作時、作動杆６が摺動しその係合部６ａ，６ｂが係合して鉤部材４，５を傾動させる際、凸状曲面と係合部との接触によって、その間に生じる摩擦抵抗を少なくしている。
【００２０】
図２、図４、図５などに示すように、基枠体１の支持板３の外側に、作動杆６が摺動可能に配設される。作動杆６は、図７に示すように、略帯板状に形成され、その上端部には、鉤部材４の半円形凸部４ｄに係合する係合部６ａが曲折して形成され、その下端部近傍に、鉤部材５の半円形凸部５ｄに係合する係合部６ｂが同様に曲折して形成される。また、係合部６ａ，６ｂの真下近傍には、鉤部材の縦方向の摺動をガイドするガイド孔６ｃ、６ｄが縦方向に穿設されている。さらに、作動杆６の中間部にはカム板８の第１係合部８ａが係合可能な係合孔６ｅが形成され、さらに作動杆の上部近傍の一側には、手動による解錠操作用に操作部６ｆが突設されている。
【００２１】
また、この作動杆６は、図７（ｂ）に示すように、略中央の縦線を境界として左右の部分が略板厚分の段差をもって形成されている。つまり、作動杆６は、基枠体１の支持板３の外側に摺動可能に配設されるが、支持板３の側面に実際に接する部分は、図７（ｂ）の作動杆６の左側の細い縁部（ガイド孔６ｃ、６ｄが形成される部分）のみである。図７（ｂ）の作動杆６の右側の部分（係合孔６ｅが位置する部分）は、支持板３の外側面との間に、ガラス枠施錠杆１１と前パネル施錠杆２０を介装するために、縦線として現れる段差部を介して手前に略板厚分だけシフトして形成されている。
【００２２】
作動杆６は、支持板３の外側面にそのガイド孔６ｃ、６ｄの面を接して、且つ切起し支持部３ａとの間に配設され、ガイド孔６ｃ、６ｄにガイドピン６ｇ、６ｈが挿通されて支持板３に固定され、このガイド孔６ｃ、６ｄとガイドピン６ｇ、６ｈにより作動杆６は所定の移動範囲で支持板３の長手方向に沿って摺動可能に支持される。このとき、作動杆６の上端の係合部６ａは鉤部材４の半円形凸部４ｄに対向して位置し、下端の係合部６ｂは鉤部材５の半円形凸部５ｄに対向して位置することになる。また、作動杆６の略中間部下寄りに設けた係合孔６ｅには、後述のカム板８の第一係合部８ａが係合可能となり、カム板８が図４の反時計方向に回動したとき、カム板８の第一係合部８ａが係合孔６ｅに係合して、作動杆６が上方に摺動し、上下の係合部６ａ，６ｂを介して鉤部材４，５を上側に回動させ、前面枠を解錠させる。鉤部材４、５は前面枠用の施錠機構を構成し、作動杆６は前面枠用の解錠時の作動杆を構成する。
【００２３】
一方、基枠体１の取付板２の略中央部における、外側切起し部３ａが形成された箇所に、シリンダ錠７がその錠軸を開口部（異形孔）から基枠体１の内側に挿入するように、取付板２の内側にそのフランジを当て、固定ねじにより締め付け固定される。シリンダ錠７から基枠体の内側に突出する錠軸には、第一係合部８ａと第二係合部８ｂを持つカム板８が固定されている。図４の反時計方向にカム板８を回動させた場合、カム板の第一係合部８ａは作動杆６の係合孔６ｅに係合し、作動杆６を上方に摺動させ、鉤部材４、５を傾動させる。
【００２４】
さらに、支持板３の外側で、外側切起し部３ａとの間における作動杆６の内側に、ガラス枠施錠杆１１が支持板３の長手方向に沿って摺動可能に配設される。ガラス枠施錠杆１１は、図８に示すように、略帯状板の上部と下部に、鉤部１２、１３を横方向に突設して一体形成され、取付板２の中間部下寄りには、カム板８の第二係合部８ｂと係合可能な係合孔１４が形成されている。上下の鉤部１２、１３は、後述のガラス枠に設けた係止片に対し係止可能である。また、解錠時つまり下方への摺動時にガラス枠を開方向に押し出す押し出し部１５が鉤部１３の上方に突設されている。この押し出し部１５は、シリンダ錠７を操作してガラス枠を解錠した際、ガラス枠の係止片（またはガラス枠の一部）を押し出して、ガラス枠を開放するように動作する。
【００２５】
さらに、ガラス枠施錠杆１１の上下部の鉤部１２，１３の元部にはガイド孔１７ａ，１７ｂが上下方向（摺動方向）に形成され、図１０に示すように、このガイド孔１７ａ，１７ｂにはガイドピン１７ｃ、１７ｄが挿通され、それが基枠体１の支持板３に固定され、ガラス枠施錠杆１１は一定の範囲で上下摺動可能に取り付けられている。このガラス枠施錠杆１１は、図４の時計方向にカム板８が回動したとき、その第二係合部８ｂが係合孔１４に係合し、下方に摺動して解錠動作する。このとき、鉤部１２，１３及び押し出し部１５が僅かではあるが前方に移動するように、ガイド孔１７ａ，１７ｂの長手方向の向きは、鉛直方向から前方に傾斜して形成されている。
【００２６】
さらに、ガラス枠施錠杆１１の上部寄りの一側には、手動による解錠操作用に操作部１６が突設され、その中間部には、ばね掛け部１１ａが設けられ、そのばね掛け部１１ａと支持板３との間にコイルばね１８が掛けられ、ガラス枠施錠杆１１はコイルばね１８により上方の施錠方向に付勢される。ガラス枠施錠杆１１は上記のように支持板３の外側で、作動杆６との間に配設されるが、図２に示すように、上下の鉤部１２，１３は基枠体１の取付板２より前方に突出し、操作部１６は支持板３の縁部より背面側に突出して取り付けられる。
【００２７】
さらに、基枠体１の下部における支持板３の外側には、図２に示すように、前パネル４３を施錠するための前パネル施錠杆２０が摺動可能に配設される。前パネル施錠杆２０は、図９に示すように、帯板本体の一側に２本の鉤部２１、２２が突設され、その元部にはガイド孔２４ａ，２４ｂを長手方向に向けて形成されている。さらに、ガイド孔２４ａの上方にばね掛け部２５が内側に曲折して設けられ、前パネル施錠杆２０の上部には操作部２３が曲折して形成されている。
【００２８】
前パネル施錠杆２０は、図１０に示すように、それらのガイド孔２４ａ，２４ｂにガイドピン２６ａ，２６ｂを挿通して支持板３に固定することにより、支持板３の外側に、一定の範囲内で上下摺動可能に取付けられる。また、ばね掛け部２５と支持板３のばね掛け部間にコイルばね１９が掛けられ、このばねにより前パネル施錠杆２０は上方（施錠側）に付勢される。前パネル施錠杆２０の鉤部２１、２２は、図１３〜図１６に示すように、前パネル４３の自由端部に設けた係止片４８，４９が閉鎖時に係止可能であり、前パネル４３は、前面枠４１内の金枠の下部にヒンジを介して開閉自在に装着されている。
【００２９】
このように構成された施錠装置は、図１２〜図１６に示す如く、パチンコ機の本体枠４０に対し開閉可能に装着された前面枠４１の内側に、シリンダ錠７の先端を前面に露出させ、鉤部材４、５を本体枠４０側に向けた姿勢で、基枠体１の取付板２を用いて縦に取付けられる。
【００３０】
このとき、施錠装置は、図１２に示すように、パチンコ機の前面枠４１の内側の自由端側に、鉤部材４，５を本体枠４０側に向けて縦に取り付けられるが、本体枠４０の内側に固定される受け金具の係止片４４，４５は、本体枠４０の板厚分だけ縁部より内側に入り、シリンダ錠７は前面枠４１の最も右の縁部に配設されるため、施錠装置は、鉤部材４，５を枢支する支持板３を受け金具に対応した位置とするように、Ｌ形断面の基枠体１はその内側を前面枠４１の自由端側に向けた形態で前面枠４１に取り付けられる。
【００３１】
しかし、この施錠装置では、作動杆６、ガラス枠施錠杆１１、及び前パネル施錠杆２０が支持板３の外側に配設されるため、前面枠４１の自由端側の本体枠４０と前面枠４１の隙間から、針金などを差し込んで不正解錠を行なった場合であっても、基枠体１の外側つまり支持板３の外側に配設された作動杆６やガラス枠施錠杆１１には針金が到達しにくくなり、不正解錠を防止することができる。
【００３２】
また、本施錠装置は施錠時に各鉤部材４，５が単独で傾動して施錠動作する鉤部材単動方式の施錠装置であるが、鉤部材４，５を施錠側に付勢するトーションばね９，１０が、鉤部材４，５の枢軸４ａ，５ａの回りに且つ鉤部材４，５の内側に設けた凹部４ｂ、５ｂ内に覆われて配設されている。このため、従来のコイルばねを用いた場合のようにばねが露出せず、コイルばねを各鉤部材と基枠体との間に掛け渡していた従来のものに比べ、ばねが外れにくく、不正に差し込まれた針金などによってばねが外されたり、輸送時などにばねが他の部材と干渉して外れる不具合を防止することができる。
【００３３】
図１３〜図１６に示す如く、本体枠４０の内側の鉤部材４、５に対応した上下位置には、受け金具の係止片４４，４５が固定される。さらに、ガラス枠４２が、前面枠４１の開口部内に取付けられた金枠内に、ヒンジを介して開閉可能に取付けられ、そのガラス枠４２の自由端部に、ガラス枠施錠杆の鉤部１２，１３が係止可能な係止片４６，４７が設けられる。また、前パネル４３の内側には前パネル施錠杆２０の鉤部２１，２２が係止される係止片４８，４９が設けられる。
【００３４】
パチンコ機の前面枠４１を本体枠４０に対し閉じると、施錠装置の上下の鉤部材４、５の頭部の傾斜部が先ず本体枠４０側の受け金具の係止片４４，４５に当って鉤部材４、５が上方に傾動し、係止片４４，４５が鉤部材４，５の凹部に入る。このとき、トーションばね９，１０の付勢力により鉤部材４，５が元の水平状態に戻って係止され、施錠状態となる（図１３）。
【００３５】
前面枠４１を解錠する場合は、キーによってシリンダ錠７を右側に回し、カム板８を図４の反時計方向に回転させると、カム板８の第一係合部８ａが作動杆６の係合孔６ｅと係合してこれを上方へ摺動させる。作動杆６が上方に移動すると、図１４のように、作動杆６の上下の係合部６ａ，６ｂが上下の鉤部材４、５の半円形凸部４ｄ、５ｄを上方に押し、上側に鉤部材４，５を傾動させる。この鉤部材４、５の傾動によって、本体枠４０の受け金具の係止片４４，４５との係合が外れ、図１４のように、前面枠４１は開放可能な状態となる。
【００３６】
なお、ガラス枠４２を開いた状態で、正面側に露出した操作部６ｆと把持部１ｂをつまみ、作動杆６を上方に摺動させることによっても、鉤部材４，５を上側に傾動させ、前面枠４１を解錠することができる。
【００３７】
一方、ガラス枠４２を前面枠４１内に閉じると、図１５に示すように、ガラス枠４２内の係止片４６，４７がガラス枠施錠杆１１の鉤部１２、１３に当り、これを下方に摺動させ、鉤部１２，１３が係止片４６，４７に係合する際、コイルばね１８の付勢力によりガラス枠施錠杆１１が上方に戻り係止され、ガラス枠４２は施錠状態となる。
【００３８】
ガラス枠４２を解錠する場合は、シリンダ錠７のキーを左側に回して、カム板８を図４の時計方向へ回動させると、カム板８の第二係合部８ｂがガラス枠施錠杆１１の係合孔１４と係合してこれを下方へ摺動させ、上下の鉤部１２、１３を下方へ摺動させる。この動作によって、ガラス枠４２の係止片４６，４７と鉤部１２、１３との係合が外れ、ガラス枠４２は図１５にように解錠される。このとき、押し出し部１５の傾斜部がガラス枠４２の係止片４７を押すことにより、ガラス枠４２が前方に押し出され、ガラス枠４２は開放される。
【００３９】
上皿等を前面に取付けた前パネル４３を開く場合、ガラス枠４２を開いた状態で、その開口部から内側に手を入れ、前パネル施錠杆２０の操作部２３を持って押し下げる。これによって、前パネル施錠杆２０が下降し、その鉤部２１、２２と前パネル側の係止片４８，４９との係合が外れ、前パネル４３が解錠され、開かれる。前パネル４３を閉鎖する場合、前パネル４３を閉じる方向に押し込むと、その係止片４８，４９が前パネル施錠杆２０の鉤部２１，２２に係止され、施錠状態となる。
【００４０】
このように、本施錠装置によれば、作動杆６が支持板３の外側に摺動可能に配設され、上部と下部に鉤部１２，１３を有したガラス枠施錠杆１１が支持板３の外側に摺動可能に配設され、さらに、鉤部材４，５を施錠側に付勢するトーションばね９，１０が鉤部材４，５の枢軸４ａ，５ａの回りに且つ鉤部材の内側に設けた凹部４ｂ、５ｂ内に覆われて配設されるため、前面枠４１の自由端側の本体枠４０と前面枠の隙間から、針金などを差し込んで不正行為が行なわれたとしも、基枠体１の外側つまり支持板３の外側に配設された作動杆６やガラス枠施錠杆１１には針金が到達しにくく、また、トーションばねを外すことは不可能となり、不正解錠を防止することができる。
【００４１】
なお、本発明は、スロットマシンなどのゲーム機に適用することもでき、特に、凹部内にトーションばねを配設した単独傾動式の鉤部材４，５、及び作動杆６の構造は、スロットマシンなどのガラス枠のないゲーム機にも、効果的に適用することができる。
【００４２】
図１７〜図２２は他の実施形態のパチンコ機の施錠装置を示している。図２２に示すように、基枠体５１は、取付板５２と支持板５３を略直角に断面略Ｌ字形に曲折して長尺の枠状に一体成形され、基枠体５１の支持板５３の上部と下部に鉤部材用の枢支部が形成され、そこには鉤部材５４，５５を水平突出位置に保持するための鉤部材支持部５３ｄ，５３ｅが支持板５３の内側に突設されている。また、支持板５３の中間部下寄りの外側に、支持板５３の一部を外側に切り起すように外側切起し部５３ａが形成されている。この外側切起し部５３ａの内側に、作動杆５６及びガラス枠施錠杆６１が摺動可能に配設され、それらを外側から保持するようにしている。
【００４３】
また、上部と下部の鉤部材支持部５３ｄ，５３ｅの近傍には、支持板５３の一部を内側に切り起すように、ばね掛け部５３ｂ、５３ｃが形成されている。このばね掛け部５３ｂ、５３ｃには上下の鉤部材５４，５５を施錠側に付勢するためのトーションばね５９，６０の一端を係止する。取付板５２には複数の取付孔が穿設され、また、取付板５２の中間部から下寄りの部分にシリンダ錠用の開口部が形成され、その開口部に後述のシリンダ錠５７が、錠本体を外側に突出させ、そのフランジ部を内側にねじ止めして取り付けられる。
【００４４】
支持板５３の枢支部の内側には、鉤部材５４、５５が水平位置から上側傾動可能に、枢軸５４ａ，５５ａにより枢支される。鉤部材５４、５５は三角形頭部を有しその中間部に係合凹部を有し、背面側に水平に突き出すように枢支され、特に、鉤部材５４，５５の枢軸５４ａ，５５ａの周囲には円形の凹部５４ｂ、５５ｂが内側に凹状に形成されている。この凹部５４ｂ、５５ｂ内にはトーションばね５９，６０が軸の周りに装着され、そのトーションばね５９，６０の端部を掛止する目的で外側に出すために、凹部５４ｂ、５５ｂの一部に開口部が形成されている。製造の際の組付け時、トーションばね５９，６０は、その端部を開口部に差し込みながら、凹部５４ｂ、５５ｂ内に入れるだけの簡単な作業で、鉤部材５４，５５に対し装着することができる。
【００４５】
さらに、鉤部材５４，５５の中間部には、作動杆５６の係合部５６ａ，５６ｂが係合する半円形凸部５４ｄ、５５ｄが凸状曲面部として形成され、解錠操作時、作動杆５６が摺動しその係合部５６ａ，５６ｂが係合して鉤部材５４，５５を傾動させる際、係合部との間に生じる摩擦抵抗を少なくしている。
【００４６】
基枠体５１の支持板５３の外側に、作動杆５６が摺動可能に配設される。作動杆５６は、図２１に示すように、略帯板状に形成され、その上端部には、鉤部材５４の半円形凸部５４ｄに係合する係合部５６ａが曲折して形成され、その下端部近傍に、鉤部材５５の半円形凸部５５ｄに係合する係合部５６ｂが同様に曲折して形成される。また、係合部５６ａ，５６ｂの真下近傍には、鉤部材の縦方向の摺動をガイドするガイド孔５６ｃ、５６ｄが縦方向に穿設されている。さらに、作動杆５６の中間部下寄りにはカム板５８の第１係合部５８ａが係合可能な係合孔５６ｅが形成され、さらに作動杆５６の上部近傍の一側には、手動による解錠操作用に操作部５６ｆが突設されている。
【００４７】
作動杆５６は、支持板５３の外側面にそのガイド孔５６ｃ、５６ｄの面を接して、且つ切起し支持部５３ａとの間に配設され、ガイド孔５６ｃ、５６ｄにガイドピン５６ｇ、５６ｈが挿通されて支持板５３に固定され、このガイド孔５６ｃ、５６ｄとガイドピン５６ｇ、５６ｈにより作動杆５６は所定の移動範囲で支持板３の長手方向に沿って摺動可能に支持される。このとき、作動杆５６の上端の係合部５６ａは鉤部材５４の半円形凸部５４ｄに対向して位置し、下端の係合部５６ｂは鉤部材５５の半円形凸部５５ｄに対向して位置することになる。また、作動杆５６の略中間部下寄りに設けた係合孔５６ｅには、後述のカム板５８の第一係合部５８ａが係合可能となり、カム板５８が図２０の反時計方向に回動したとき、カム板５８の第一係合部５８ａが係合孔５６ｅに係合して、作動杆５６が上方に摺動し、上下の係合部５６ａ，５６ｂを介して鉤部材５４，５５を上側に回動させ、前面枠を解錠させる。鉤部材５４、５５は前面枠用の施錠機構を構成し、作動杆５６は前面枠用の解錠時の作動杆を構成する。
【００４８】
一方、基枠体５１の取付板５２の略中央部における、外側切起し部５３ａが形成された箇所に幅広部が形成され、その幅広部に設けた孔にシリンダ錠５７がその錠軸を開口部（異形孔）から基枠体５１の内側に挿入するように、取付板５２の内側にそのフランジを当て、固定ねじにより締め付け固定される。シリンダ錠５７から基枠体の内側に突出する錠軸には、第一係合部５８ａと第二係合部５８ｂを持つカム板５８が固定されている。図２０の反時計方向にカム板５８を回動させた場合、カム板の第一係合部５８ａは作動杆５６の係合孔５６ｅに係合し、作動杆５６を上方に摺動させ、鉤部材５４、５５を傾動させる。
【００４９】
さらに、支持板５３の外側で、外側切起し部５３ａとの間における作動杆５６の外側に、ガラス枠施錠杆６１が支持板５３の長手方向に沿って摺動可能に配設される。ガラス枠施錠杆６１は、図２１に示すように、略帯状板の上部と下部に、鉤部６２、６３を横方向に突設して一体形成され、取付板５２の中間部下寄りには、カム板５８の第二係合部５８ｂと係合可能な係合孔５４が形成されている。上下の鉤部６２、６３は、後述のガラス枠に設けた係止片に対し係止可能である。また、解錠時つまり下方への摺動時にガラス枠を開方向に押し出す押し出し部６５が鉤部６３の上方に突設されている。この押し出し部６５は、シリンダ錠７を操作してガラス枠を解錠した際、ガラス枠の係止片（またはガラス枠の一部）を押し出して、ガラス枠を開放するように動作する。
【００５０】
さらに、ガラス枠施錠杆６１の上下部の鉤部６２，６３の元部にはガイド孔６７ａ，６７ｂが上下方向（摺動方向）に形成され、図２１に示すように、このガイド孔６７ａ，６７ｂにはガイドピン５６ｇ，５６ｉが挿通され、それが基枠体５１の支持板５３に固定され、ガラス枠施錠杆６１は一定の範囲で上下摺動可能に取り付けられている。このガラス枠施錠杆６１は、図２０の時計方向にカム板５８が回動したとき、その第二係合部５８ｂが係合孔６４に係合し、下方に摺動して解錠動作する。このとき、鉤部６２，６３及び押し出し部６５が僅かではあるが前方に移動するように、ガイド孔６７ａ，６７ｂの長手方向の向きは、鉛直方向から前方に傾斜して形成されている。
【００５１】
さらに、ガラス枠施錠杆６１の上部寄りの一側には、手動による解錠操作用に操作部６６が突設され、その下方には、ばね掛け部６１ａが設けられ、そのばね掛け部６１ａと支持板５３との間にコイルばね６８が掛けられている。このガラス枠施錠杆６１はコイルばね６８により上方の施錠方向に付勢される。コイルばね６８は支持板５３の背面側の外側縁近傍に配置されているが、このコイルばね６８を背面及び右側面から覆うように、カバー部５３ｆが支持板５３に取り付けられている。
【００５２】
パチンコ機の前面枠の自由端側内側に本施錠装置は取り付けられるが、本体枠に対し前面枠を施錠したとき、前面枠の自由端側の本体枠と前面枠の隙間から、針金などを差し込まれた場合であっても、針金などはカバー部５３fによってブロックされ、コイルばね６８に触れることができず、不正解錠を防止することができる。また、同様な理由により、保守点検などの際にもコイルばね６８が他の物体に触れて外れるなどの不具合を防止することができる。
【００５３】
ガラス枠施錠杆６１は上記のように作動杆５６の外側に配設され、さらに、図１８に示すように、上下の鉤部６２，６３は基枠体５１の取付板５２より前方に突出し、操作部６６は支持板５３の縁部より背面側に突出して取り付けられる。
【００５４】
図１７に示すように、この操作部６６は、基枠体５１の支持板５３における上部寄りの背面側縁部近傍に位置しており、操作部６６の正面側は支持板５３の一部を切り起こして形成した遮蔽部５３ｇにより覆われている。施錠装置がパチンコ機の前面枠内側の自由端側に縦に取り付けられたとき、操作部６６は前面枠と本体枠間の隙間に接近する。しかし、支持板５３に設けた遮蔽部５３ｇにより、前面枠と本体枠の隙間側が遮蔽されため、隙間から針金などを差し込んで、操作部６６に引っ掛けて、これを摺動させようとしても、遮蔽部５３ｇによりブロックされて、ガラス枠の不正解錠は不可能となる。
【００５５】
さらに、基枠体５１の下部における支持板５３及び作動杆５６の外側には、前パネルを施錠するための前パネル施錠杆７０が摺動可能に配設される。前パネル施錠杆７０は、図２１に示すように、帯板本体の一側に２本の鉤部７１、７２が突設され、その元部にはガイド孔７４ａ，７４ｂを長手方向に向けて形成されている。さらに、ガイド孔７４ａの下側にばね掛け部７５が内側に曲折して設けられ、前パネル施錠杆７０の上部には操作部７３が曲折して形成されている。
【００５６】
前パネル施錠杆７０は、図１８に示すように、それらのガイド孔７４ａ，７４ｂにガイドピンを挿通して支持板５３に固定することにより、支持板５３及び作動杆５６の外側に、一定の範囲内で上下摺動可能に取付けられる。また、図１９のように、ばね掛け部７５と支持板５３のばね掛け部間にコイルばね６９が掛けられ、このばねにより前パネル施錠杆７０は上方（施錠側）に付勢される。前パネル施錠杆７０の鉤部７１、７２は、前パネルの自由端部に設けた係止片が閉鎖時に係止可能であり、前パネルは、前面枠内の金枠の下部にヒンジを介して開閉自在に装着されている。
【００５７】
このように、上記構成の施錠装置によっても、作動杆５６が支持板５３の外側に摺動可能に配設され、上部と下部に鉤部６２，６３を有したガラス枠施錠杆６１が支持板５３の外側に摺動可能に配設され、さらに、鉤部材５４，５５を施錠側に付勢するトーションばね５９，６０が鉤部材５４，５５の枢軸５４ａ，５５ａの回りに且つ鉤部材の内側に設けた凹部５４ｂ、５５ｂ内に覆われて配設されるため、前面枠の自由端側の本体枠と前面枠の隙間から、針金などを差し込んで不正行為が行なわれたとしも、基枠体５１の外側つまり支持板５３の外側に配設された作動杆５６やガラス枠施錠杆６１には針金が到達しにくく、また、トーションばねを外すことは不可能となり、不正解錠を防止することができる。
【００５８】
また、ガラス枠施錠杆６１を施錠側に付勢するコイルばね６８を背面及び右側面から覆うように、カバー部５３ｆが支持板５３に取り付けられているから、自由端側の前面枠と本体枠の隙間から、針金などを差し込まれても、針金などはカバー部５３fによってブロックされ、コイルばね６８に触れることができず、不正解錠を防止することができる。また、同様な理由により、保守点検などの際にもコイルばね６８が他の物体に触れて外れるなどの不具合を防止することができる。さらに、支持板５３に設けた遮蔽部５３ｇにより、ガラス枠施錠杆６１の操作部６６が正面側に対し遮蔽されているため、前面枠の自由端側と本体枠の隙間から針金などを差し込まれても、遮蔽部５３ｇによりブロックされて、操作部６６には達せず、ガラス枠の不正解錠を防止することができる。
【符号の説明】
【００５９】
１−基枠体
２−取付板
３−支持板
４、５−鉤部材
６−作動杆
７−シリンダ錠
８−カム板
９、１０−トーションばね
１１−ガラス枠施錠杆
１２，１３−鉤部
２０−前パネル施錠杆
２１、２２−鉤部
【図１】
2010119897.tif 000003
【図２】
2010119897.tif 000004
【図３】
2010119897.tif 000005
【図４】
2010119897.tif 000006
【図５】
2010119897.tif 000007
【図６】
2010119897.tif 000008
【図７】
2010119897.tif 000009
【図８】
2010119897.tif 000010
【図９】
2010119897.tif 000011
【図１０】
2010119897.tif 000012
【図１１】
2010119897.tif 000013
【図１２】
2010119897.tif 000014
【図１３】
2010119897.tif 000015
【図１４】
2010119897.tif 000016
【図１５】
2010119897.tif 000017
【図１６】
2010119897.tif 000018
【図１７】
2010119897.tif 000019
【図１８】
2010119897.tif 000020
【図１９】
2010119897.tif 000021
【図２０】
2010119897.tif 000022
【図２１】
2010119897.tif 000023
【図２２】
2010119897.tif 000024